(57)【要約】【課題】本発明は、フレキシブル配線基板がコネクタから外れることを防止しながらフレキシブル配線基板を保護することを目的とする。【解決手段】表示装置は、表示パネル１０と、回路基板と、回路基板に搭載されたコネクタ１６と、コネクタ１６に取り付けられたフレキシブル配線基板１８と、表示パネル１０及び回路基板並びにフレキシブル配線基板１８の一部を収容し、フレキシブル配線基板１８の他の一部が引き出されるスリット２８が形成されたハウジング２０と、を有する。フレキシブル配線基板１８は、スリット２８からの引き出し方向に交差する方向に延びて、スリット２８と重畳する位置におけるフレキシブル配線基板１８の幅よりも幅が大きい第１の領域を、フレキシブル配線基板１８の前記一部に有する。【選択図】図１
2011013605.tif 000002
【特許請求の範囲】
【請求項１】
表示パネルと、
回路基板と、
前記回路基板に搭載されたコネクタと、
前記コネクタに取り付けられたフレキシブル配線基板と、
前記表示パネル及び前記回路基板並びに前記フレキシブル配線基板の一部を収容するハウジングと、
を有し、
前記ハウジングは、前記フレキシブル配線基板の他の一部が引き出されるスリットが形成され、
前記フレキシブル配線基板は、前記スリットからの引き出し方向に交差する方向に延びて、前記スリットと重畳する位置における前記フレキシブル配線基板の幅よりも幅が大きい第１の領域を、前記フレキシブル配線基板の前記一部に有することを特徴とする表示装置。
【請求項２】
請求項１に記載された表示装置において、
前記第１の領域は、前記フレキシブル配線基板に貼り付けられたシートの一部であることを特徴とする表示装置。
【請求項３】
請求項１に記載された表示装置において、
前記フレキシブル配線基板は、前記スリットからの引き出し方向に交差する方向に延びて、前記スリットと重畳する位置における前記フレキシブル配線基板の幅よりも幅が大きい第２の領域を、前記フレキシブル配線基板の前記他の一部に有することを特徴とする表示装置。
【請求項４】
請求項３に記載された表示装置において、
前記第１の領域及び前記第２の領域は、前記フレキシブル配線基板に貼り付けられたシートの一部であることを特徴とする表示装置。
【請求項５】
請求項１から４のいずれか１項に記載された表示装置において、
前記ハウジングは、前記表示パネルの周縁部を囲むフレームと、前記回路基板を覆うカバーと、を含み、
前記スリットは、前記フレームと前記カバーとの間に形成されていることを特徴とする表示装置。
【請求項６】
請求項５に記載された表示装置において、
前記カバーは、前記回路基板の全体及び前記コネクタを覆うことを特徴とする表示装置。
【請求項７】
請求項５に記載された表示装置において、
前記カバーは、開口を有し、
前記開口と重畳する位置に前記コネクタが配置され、
前記フレキシブル配線基板は、前記コネクタと前記スリットとの間の部分が前記カバーに覆われていることを特徴とする表示装置。
【請求項８】
請求項１から７のいずれか１項に記載された表示装置において、
前記カバーは、電磁波をシールドする材料からなることを特徴とする表示装置。
【発明の詳細な説明】
【技術分野】
【０００１】
本発明は、表示装置に関する。
【背景技術】
【０００２】
液晶表示装置の回路基板にコネクタが搭載され、コネクタにフレキシブル配線基板（ＦＰＣ）が脱着可能に取り付けられた構造が知られている。詳しくは、回路基板を覆うようにカバーが取り付けられ、カバーには開口が形成され、開口内にコネクタが配置されており、開口を介してフレキシブル配線基板が取り付けられている。例えば下記特許文献１には、回路基板にフレキシブル配線基板が取り付けられ、フレキシブル配線基板の一部と回路基板とがカバーによって覆われている構造が開示されている。
【先行技術文献】
【特許文献】
【０００３】
【特許文献１】特開２００９−１３９７０４号公報
【発明の概要】
【発明が解決しようとする課題】
【０００４】
従来の構造では、カバーが回路基板を覆ってはいるが、フレキシブル配線基板がカバーから露出しているのでこれを保護する機能を果たしていなかった。また、単にカバーがフレキシブル配線基板を覆うだけでは、フレキシブル配線基板が引っ張られる等の応力が加わることでコネクタから外れてしまうと、カバーを外さなければ再びフレキシブル配線基板をコネクタに装着することができなかった。
【０００５】
本発明は、フレキシブル配線基板がコネクタから外れることを防止しながらフレキシブル配線基板を保護することを目的とする。
【課題を解決するための手段】
【０００６】
（１）本発明に係る表示装置は、表示パネルと、回路基板と、前記回路基板に搭載されたコネクタと、例えば脱着可能に、前記コネクタに取り付けられたフレキシブル配線基板と、前記表示パネル及び前記回路基板並びに前記フレキシブル配線基板の一部を収容するハウジングとを有し、前記ハウジングは、前記フレキシブル配線基板の他の一部が引き出されるスリットが形成され、前記フレキシブル配線基板は、前記スリットからの引き出し方向に交差する方向に延びて、前記スリットと重畳する位置における前記フレキシブル配線基板の幅よりも幅が大きい第１の領域（内側ストッパ）を、前記フレキシブル配線基板の前記一部に有することを特徴とする。本発明によれば、フレキシブル配線基板は、第１の領域（内側ストッパ）によって抜け止めが図られており、ハウジングに一部が収容されるので保護が図られている。
【０００７】
（２）（１）に記載された表示装置において、前記第１の領域（内側ストッパ）は、前記フレキシブル配線基板に貼り付けられたシートの一部であることを特徴としてもよい。
【０００８】
（３）（１）に記載された表示装置において、前記フレキシブル配線基板は、前記スリットからの引き出し方向に交差する方向に延びて、前記スリットと重畳する位置における前記フレキシブル配線基板の幅よりも幅が大きい第２の領域（外側ストッパ）を、前記フレキシブル配線基板の前記他の一部に有することを特徴としてもよい。
【０００９】
（４）（３）に記載された表示装置において、前記第１の領域（内側ストッパ）及び前記第２の領域（外側ストッパ）は、前記フレキシブル配線基板に貼り付けられたシートの一部であることを特徴としてもよい。
【００１０】
（５）（１）から（４）のいずれか１項に記載された表示装置において、前記ハウジングは、前記表示パネルの周縁部を囲むフレームと、前記回路基板を覆うカバーと、を含み、前記スリットは、前記フレームと前記カバーとの間に形成されていることを特徴としてもよい。
【００１１】
（６）（５）に記載された表示装置において、前記カバーは、前記回路基板の全体及び前記コネクタを覆うことを特徴としてもよい。
【００１２】
（７）（５）に記載された表示装置において、前記カバーは、開口を有し、前記開口と重畳する位置に前記コネクタが配置され、前記フレキシブル配線基板は、前記コネクタと前記スリットとの間の部分が前記カバーに覆われていることを特徴としてもよい。
【００１３】
（８）（１）から（７）のいずれか１項に記載された表示装置において、前記カバーは、電磁波をシールドする材料からなることを特徴としてもよい。
【図面の簡単な説明】
【００１４】
【図１】本発明の実施の形態に係る表示装置を示す斜視図である。
【図２】図１に示す表示装置のII−II線断面図である。
【図３】本発明の実施の形態に係る表示装置を示す底面図である。
【図４】図３に示す表示装置からカバーを外した状態を示す図である。
【図５】本発明の実施の形態に係る表示装置の第１変形例を示す斜視図である。
【図６】本発明の実施の形態に係る表示装置の第２変形例を説明する図である。
【発明を実施するための形態】
【００１５】
以下、本発明の実施の形態について、図面を参照して説明する。
【００１６】
図１は、本発明の実施の形態に係る表示装置を示す斜視図である。図２は、図１に示す表示装置のII−II線断面図である。図３は、本発明の実施の形態に係る表示装置を示す底面図である。
【００１７】
表示装置は、表示パネル１０を有する。表示パネル１０は、液晶表示パネルであって、図２に示すようにバックライト１２が重なるように配置されている。バックライト１２は例えば、冷陰極管（ＣＦＬ）や発光ダイオード（ＬＥＤ）からなる光源と、反射シートや拡散シート等からなる光学シートと、導光板等で構成されている。表示パネル１０は、液晶表示パネルに限定されるものではなく、有機エレクトロルミネッセンス表示パネルであってもよく、その場合にはバックライト１２は設けられない。
【００１８】
表示装置は、回路基板１４を有する。回路基板１４は、表示パネル１０を駆動するための電源回路などを備えている。例えばＴＣＯＮ基板や、電源回路基板である。図２に示すように、回路基板１４は、バックライト１２を格納する箱型部材２５の背面に配置されている。回路基板１４にはコネクタ１６が搭載されている。コネクタ１６には、外部との電気的接続のために、フレキシブル配線基板１８（ＦＰＣ）が脱着可能に取り付けられている。脱着可能であるため、フレキシブル配線基板１８の取り替え（リペア）を行うことができる。
【００１９】
表示装置は、ハウジング２０を有する。ハウジング２０は、表示パネル１０及び回路基板１４並びにフレキシブル配線基板１８の一部を収容する。ハウジング２０は、表示パネル１０の周縁部を囲むフレーム２２を含む。ハウジング２０は、回路基板１４の少なくとも一部を覆うカバー２４を含む。カバー２４を、電磁波をシールドする材料（例えば金属等の導電体）で構成すれば、ＥＭＩ対策（不要輻射対策）を施すことができる。
【００２０】
図２及び図３に示すように、カバー２４は、開口２６を有する。回路基板１４の、開口２６と重畳する領域にコネクタ１６が配置されている。コネクタ１６とフレキシブル配線基板１８の接続部がカバー２４から露出するので、フレキシブル配線基板１８の脱着を行うことができる。
【００２１】
ハウジング２０にはスリット２８が形成されている。スリット２８は、フレーム２２とカバー２４との間に形成されている。すなわち、フレーム２２とカバー２４を嵌め合わせてスリット２８が形成される。言い換えると、フレーム２２の一部とカバー２４の一部によってスリット２８が形成される。フレキシブル配線基板１８の一部が、ハウジング２０のスリット２８から引き出されている。フレキシブル配線基板１８は、コネクタ１６とスリット２８との間の部分がカバー２４に覆われている。
【００２２】
図４は、図３に示す表示装置からカバー２４を外した状態を示す図である。フレキシブル配線基板１８は、内側ストッパ３０を有する。内側ストッパ３０は、スリット２８の近傍で、フレキシブル配線基板１８がカバー２４に覆われる側に配置されている。内側ストッパ３０は、フレキシブル配線基板１８のスリット２８からの引き出し方向に交差する両方向（さらにフレキシブル配線基板１８の表面に平行な方向）に延びている。フレキシブル配線基板１８のスリット２８から外に引き出された部分の幅は、スリット２８を通るようにスリット２８の長さよりも狭くなっている。これに対して、内側ストッパ３０の幅（フレキシブル配線基板１８の、スリット２８からの引き出し方向に交差する方向の長さ）は、スリット２８の長さよりも大きくなっている。即ち、内側ストッパ３０は、スリット２８と重畳する位置におけるフレキシブル配線基板１８の幅よりも幅が大きい領域であり、フレキシブル配線基板１８のカバー２４で覆われる側に形成される。したがって、内側ストッパ３０によって、スリット２８から外方向への、フレキシブル配線基板１８の抜け止めが図られている。
【００２３】
カバー２４の開口２６は、フレキシブル配線基板１８を交換（リペア）するための予備的なものであるため、そのサイズを最小限の大きさにとどめておくことができる。つまり、カバー２４の開口２６のサイズにかかわらず、本来の組立工程を容易に行うことができる。
【００２４】
図４に示す内側ストッパ３０は、フレキシブル配線基板１８に貼り付けられた、ＰＥＴ（ポリエチレンテレフタレート）などからなるシートの一部である。このような内側ストッパ３０は、フレキシブル配線基板１８をコネクタ１６に取り付ける前に、フレキシブル配線基板１８に貼り付けておくことができる。変形例として、内側ストッパ３０をフレキシブル配線基板１８の基材と一体的に形成してもよい。
【００２５】
本実施の形態によれば、フレキシブル配線基板１８はハウジング２０に一部が収容されるので、回路基板のみをカバーで覆いフレキシブル配線基板をカバーの外側に配置する構成よりも、フレキシブル配線基板１８を十分に保護することができる。更に、フレキシブル配線基板をカバーの外側に配置する構成よりも、表示装置の層厚を小さくすることができる。
【００２６】
また、フレキシブル配線基板１８は内側ストッパ３０によって抜け止めが図られているので、フレキシブル配線基板１８がコネクタ１６から外れるポテンシャルを大幅に低減することができる。
【００２７】
また、抜け止めのためにフレキシブル配線基板を例えば粘着テープで固定する方法が考えられる。本実施の形態は、粘着テープで固定する方法と比較し、粘着テープ貼付け工程の削減、部品数の削減（粘着テープが不要）を図ることができる。
【００２８】
［第１変形例］
図５は、本発明の実施の形態に係る表示装置の第１変形例を示す斜視図である。本変形例では、カバー１２４は、図２に示す回路基板１４の全体及びコネクタ１６を覆う（つまり開口２６を有しない）点で上述した実施の形態とは異なる。本変形例によれば、カバー１２４は、回路基板１４の全体を覆うので、電磁波をシールドする材料で構成すればＥＭＩ対策（不要輻射対策）が万全なものとなる。また、カバー１２４は、フレキシブル配線基板１８のコネクタ１６との接続部分も覆うので、保護が強化される。本変形例に係る表示装置のその他の詳細は、上述した実施の形態で説明した内容が該当する。
【００２９】
［第２変形例］
図６は、本発明の実施の形態に係る表示装置の第２変形例を説明する図である。本変形例では、フレキシブル配線基板２１８は、内側ストッパ２３０と共に外側ストッパ２３２をさらに有する。外側ストッパ２３２は、ハウジング２２０の外側に、フレキシブル配線基板２１８のスリット２２８からの引き出し方向に交差する方向に延びている。即ち、外側ストッパ２３２は、スリット２２８と重畳する位置におけるフレキシブル配線基板２１８の幅よりも幅が大きい領域であり、フレキシブル配線基板２１８のカバーで覆われない側に形成される。外側ストッパ２３２によって、フレキシブル配線基板２１８のスリット２２８から内方向への入り止めが図られる。更に、フレキシブル配線基板２１８がカバー内で、表示装置の厚さ方向（表示パネル１０の主面の法線方向）に動く（ばたつく）ことを抑制する効果も得られる。
【００３０】
内側ストッパ２３０及び外側ストッパ２３２は、フレキシブル配線基板２１８に貼り付けられたシートの一部であり、対向する方向に形成された一対の切り込み２３４間の部分がスリット２２８内に配置される。本変形例に係る表示装置のその他の詳細は、上述した実施の形態で説明した内容が該当する。
【００３１】
本発明は、上述した実施の形態に限定されるものではなく種々の変形が可能である。例えば、実施の形態で説明した構成は、実質的に同一の構成、同一の作用効果を奏する構成又は同一の目的を達成することができる構成で置き換えることができる。
【符号の説明】
【００３２】
１０  表示パネル、１２  バックライト、１４  回路基板、１６  コネクタ、１８  フレキシブル配線基板、２０  ハウジング、２２  フレーム、２４  カバー、２５  箱型部材、２６  開口、２８  スリット、３０  内側ストッパ、１２４  カバー、２１８  フレキシブル配線基板、２２０  ハウジング、２２８  スリット、２３０  内側ストッパ、２３２  外側ストッパ、２３４  切り込み。
【図１】
2011013605.tif 000003
【図２】
2011013605.tif 000004
【図３】
2011013605.tif 000005
【図４】
2011013605.tif 000006
【図５】
2011013605.tif 000007
【図６】
2011013605.tif 000008